【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  眼科用成形品、膜、触媒又は外科処置において有用な成形品である成形品の製造方法であって、下記の工程：
ａ）架橋可能な基を１個以上含む、少なくとも１種類のプレポリマーであって、疎水性セグメントＡを少なくとも１個、および親水性セグメントＢを少なくとも１個含む両親媒性セグメント化コポリマーであるものを用意する工程；
ｂ）該プレポリマーの、少なくとも部分的に両連続性である中間相を生成させる工程；
ｃ）得られた該中間相を、成形型の中に導入する工程；
ｄ）架橋反応を起こさせる工程；および
ｅ）成形品を取り出せるように成形型を開く工程
を含む、製造方法。
【請求項２】  工程ｃ）における成形型が眼科用の成形型である、眼科用の成形品を製造する、請求項１記載の方法。
【請求項３】  プレポリマーが、重量平均分子量１，０００〜５０，０００を有する、請求項１または２記載の方法。
【請求項４】  プレポリマーの疎水性セグメントＡが、ポリシロキサンまたはペルフルオロアルキルエーテルである、請求項１〜３のいずれか１項記載の方法。
【請求項５】  プレポリマーの親水性セグメントＢが、ポリオキシアルキレン、多糖類、ポリペプチド、ポリ（ビニルピロリドン）、ポリアルキルアクリラートおよび−メタクリラート、ポリヒドロキシアルキルアクリラートおよび−メタクリラート、ポリアシルアルキレンイミン、ポリアクリルアミド、ポリビニルアルコール、ポリビニルエーテルおよびポリオールからなる群より選ばれる非イオン性セグメントであるか、あるいはポリアリルアンモニウム、ポリエチレンイミン、ポリビニルベンジルトリメチルアンモニウム、ポリアニリン、スルホン化ポリアニリン、ポリピロールおよびポリピリジニウムセグメントからなる群より選ばれる多カチオン性セグメントであるか、またはポリアクリル酸およびポリメタクリル酸、ポリチオフェン酢酸、ポリスチレンスルホン酸ならびにそれらの適切な塩からなる群より選ばれる多アニオン性セグメントである、請求項１〜４のいずれか１項記載の方法。
【請求項６】  プレポリマーのセグメントＡおよびＢが、カルボニル、カルボナート、エステル、アミド、尿素またはウレタン官能基、および上記の官能基を１個または２個を含有する、アルキレン、シクロアルキレン、アラルキレン、アリーレンまたはヘテロ環状基である、請求項１〜５のいずれか１項記載の方法。
【請求項７】  プレポリマーが、非加水分解性結合を通して連結したセグメントＡおよびＢを含有し、そしてセグメントＡが、式（Ｉ）：
【化１】
2001514908.tif 000001
（式中、ｎは、５〜７００の整数であり；Ａｌｋは、炭素原子を２０個まで有するアルキレンであり；Ｒ1、Ｒ2、Ｒ3およびＲ4基の８０〜１００％は、互いに独立にアルキルであり、そしてＲ1、Ｒ2、Ｒ3およびＲ4基の０〜２０％は、互いに独立にアルケニル、アリール、フルオロアルキルまたはシアノアルキルである）
の、末端アルキレン基を有するポリシロキサンブロックを含む、請求項１〜６のいずれか１項記載の方法。
【請求項８】  プレポリマーのセグメントＢが、式（IV）：
【化２】
2001514908.tif 000002
（式中、Ｒ9は、水素原子、２２個までの炭素原子を有し、そして随意にエーテル、エステルもしくはウレタン基を含有する、アルキル、ヒドロキシアルキルもしくはアルケニル基、シクロアルキル基、アラルキル基またはアリール基を表し；そしてｔは、２または３である）
の環状イミノエーテルから誘導可能なポリアシルアルキレンイミンセグメントである、請求項７記載の方法。
【請求項９】  環状イミノエーテルが、２−メチル−２−オキサゾリン、２−アルケニルオキサゾリン、２−（ヒドロキシアルキル）オキサゾリン、またはそれらの２−イソシアナトエチルメタクリラートである、請求項８記載の方法。
【請求項１０】  プレポリマーが、式（Ｖ）：
ＣＰ−ＰＡＯ−ＤＵ−ＡＬＫ−ＰＤＭＳ−ＡＬＫ−ＤＵ−ＰＡＯ−ＣＰ  （Ｖ）
（式中、
ＰＤＭＳは、２価のポリ（２置換シロキサン）であり；
ＣＰは、イソシアナトアルキルアクリラートまたはメタクリラートであって、そのウレタン基がＰＡＯ基の末端炭素に結合しているものであり；
ＰＡＯは、２価のポリオキシアルキレンであり；
ＤＵは、ジウレタンであり；
ウレタン結合（１）の酸素は、ＰＡＯ基に結合し、そしてウレタン結合（２）の酸素は、ＡＬＫ基に結合しており；そして
ＡＬＫは、炭素原子を少なくとも３個有するアルキレンまたはアルキレンオキシ基である）
のものである、請求項１〜６のいずれか１項記載の方法。
【請求項１１】  プレポリマーが、式（VI）：
【化３】
2001514908.tif 000003
（式中、
（ａ）は、ポリシロキサンセグメントであり；
（ｂ）は、炭素原子を少なくとも４個含有するポリオールセグメントであり；
Ｚ1は、Ｘ2−Ｒ′−Ｘ2セグメントまたはＸ1基であり、
Ｒ′は、炭素原子を２０個まで有する、有機化合物の２価の基であり、そして
Ｘ1およびＸ2のそれぞれは、互いに独立に、カルボニル基を少なくとも１個含有する２価の基であり；そして
（ｄ）は、式（VII）：
Ｘ3−Ｌ−（Ｙ）ｋ1−Ｐ1        （VII）
（式中、
Ｐ1は、遊離基によって重合されることができる基であり；
ＹおよびＸ3は、互いに独立に、カルボニル基を少なくとも１個含有する２価の基であり；
ｋ１は、０または１であり；そして
Ｌは、結合、または有機化合物の炭素原子２０個までを有する２価の基である）の基である）
のセグメントを少なくとも１個含む、請求項１〜６のいずれか１項記載の方法。
【請求項１２】  中間相を、１種以上のプレポリマー、水溶液および随意にさらなる成分から製造する、請求項１〜１１のいずれか１項記載の方法。
【請求項１３】  水溶液が、純水か、または水と１種以上の水混和性溶媒および／もしくは塩との混合物を含む、請求項１〜１２のいずれか１項記載の方法。
【請求項１４】  随意にさらなる成分が、光開始剤、熱開始剤、レドックス開始剤、界面活性剤、コモノマー、コマクロマーおよび製薬学的に有効な剤からなる群より選ばれる、請求項１２または１３記載の方法。
【請求項１５】  中間相が、１種以上の異なるプレポリマー；生理的に許容される塩を含有してよい水；および随意に光開始剤および／または１価もしくは多価アルコール、ポリエーテル、カルボン酸アミド、アセトン、アセトニトリルおよびジメチルスルホキシドからなる群より選ばれる追加的溶媒から製造される、請求項１〜１４のいずれか１項記載の方法。
【請求項１６】  中間相が、１種以上の異なるプレポリマー、水および随意に光開始剤から製造される、請求項１〜１５のいずれか１項記載の方法。
【請求項１７】  中間相の製造が、工程：
（ｉ）少なくとも部分的に両連続性であるミクロ構造を与えることになるプレポリマー、水溶液および随意にさらなる成分の比率を選択する工程；および
（ii）両連続性のミクロ構造を形成させ、または形成を可能にする工程
を含む、請求項１〜１６のいずれか１項記載の方法。
【請求項１８】  プレポリマー、水溶液および随意にさらなる成分を混合し、その混合物を随意に撹拌しながら、０〜１００℃の温度で１分〜１週間の期間保つことによって、両連続性のミクロ構造を形成させる、請求項１７記載の方法。
【請求項１９】  中間相の形成が、１種以上のプレポリマーおよび随意にさらなる成分の溶融物を製造することを含む、請求項１〜１１のいずれか１項記載の方法。
【請求項２０】  工程ｂ）によって得られる中間相が、結晶構造、好ましくは層状、六方晶または立方晶構造、特に好ましくは立方晶構造である、請求項１〜１９のいずれか１項記載の方法。
【請求項２１】  架橋反応を≦６０分の期間で実施する、請求項１〜２０のいずれか１項記載の方法。
【請求項２２】  成形品がコンタクトレンズである、請求項１〜２１のいずれか１項記載の方法。